(57)【要約】【課題】本願発明は、分離していない状態の大バンド及び小バンドを備えたバンドフォームにおいて、大バンドと小バンドとが並列配置しないバンドフォームを提供する。【解決手段】表面積が異なる大バンド４０と小バンド５０を備えたバンドフォーム１００は、各大バンド４０と小バンド５０が、印字部４１（５１）と、印字部４１（５１）の一部端に隣接して設けられたストラップ部４２（５２）と、印字部４１（５１）の一部端と相対する他端に設けられた装着部４３（５３）と、を備え、大バンド４０の装着部４３と、小バンド５０のストラップ部５２とが連設され、大バンドと４０小バンド５０が一体化した大小バンドユニットUを構成し、大小バンドユニットU装着時、大バンド４０の印字部４１を表出するように大小バンドユニットUを被装着物に巻回可能にする。【選択図】図２
2016020984.tif 000002
【特許請求の範囲】
【請求項１】
表面積が異なる大バンドと小バンドとを備えたバンドフォームは、
上記各大バンドと小バンドが、
印字部と、
上記印字部の一部端に隣接して設けられたストラップ部と、
上記印字部の一部端と相対する他端に設けられた装着部と、を備え、
上記大バンドの装着部と、上記小バンドのストラップ部とが連設され、大バンドと小バンドが一体化した大小バンドユニットを構成し、
上記大小バンドユニット装着時、上記大バンドの上記印字部を表出するように上記大小バンドユニットを被装着物に巻回可能にする。
【請求項２】
上記小バンドの装着部と大バンドのストラップ部とが連接された複数の上記大小バンドユニットを備えて構成することを特徴とする請求項１記載のバンドフォーム。
【請求項３】
上記大小バンドユニットは、並列配置されていることを特徴とする請求項１、２記載のバンドフォーム。
【請求項４】
上記各大バンド及び小バンドは、
上記各ストラップ部に設けられた１以上の孔からなるストラップ孔と、
上記各装着部に設けられた１以上の孔からなる装着孔と、を備え、
上記ストラップ孔と上記装着孔は、
上記大小バンドユニットを巻回装着するとき、上記大バンドのストラップ孔と上記大バンドの装着孔が連通し、且つ、上記大バンドのストラップ孔と小バンドの装着孔、または上記大バンドのストラップ孔と小バンドの装着孔が連通するように配置されることを特徴とする請求項１、２記載のバンドフォーム。
【請求項５】
上記大小バンドユニット、上記大バンド及び小バンドを分離可能な脆弱線を備えることを特徴とする請求項１、２、３、４記載のバンドフォーム。
【発明の詳細な説明】
【技術分野】
【０００１】
本発明は、サイズの異なる大バンドと小バンドを備えたバンドフォームに関する。
【背景技術】
【０００２】
サイズの異なる大バンドと小バンドを備えたバンドフォームとしては、大バンドと小バンドとが一体化した状態で先ず用い、必要に応じて大バンドと小バンドとに分離して用いるもの（ａ）や、初めから大バンドと小バンドに分離して用いるもの（ｂ）がある。
【０００３】
ａの例としては、妊婦用のリストバンドが挙げられる。出産前は妊婦用の１つのリストバンドとして、出産後には母用（大バンドに相当）と新生児用（小バンドに相当）の２つのリストバンドとして利用する（特許文献１参照）。
【０００４】
また、ｂの例としては、遊園地内で用いられる親子識別用リストバンドが挙げられる。この場合、入園の際、親子に親用バンドと子供用バンドを装着させる。子供が迷子になった際に、個人識別に用いられる。
【０００５】
本発明は、ａ及びｂにおいて利用可能であり、特にａの利用時に特別な効果を奏するものである。
【先行技術文献】
【特許文献】
【０００６】
【特許文献１】特開２０１３−１２７６１４号公報
【発明の概要】
【発明が解決しようとする課題】
【０００７】
従来技術である特許文献１には、大バンドに相当する母用リストバンドと小バンドに相当する新生児用リストバンドが並列配置されているフォームが開示されている。
【０００８】
妊婦用リストバンドとして用いる際は、並列配置の状態で親用リストバンド及び新生児用リストバンドが使用される。また、出産後に母用と新生児用リストバンドとして用いる際は、分離して用いる。
【０００９】
妊婦用リストバンドとして用いる場合、親用リストバンドと新生児用リストバンドが並列に配置され新生児用リストバンド部分が浮いている状態のため、装着時に新生児用リストバンドが外部障害物に接触して小バンドの破損や大バンドからの分離を引き起こす虞があるという問題がある。
【００１０】
また、妊婦用バンドとして使用しているときには、１つの留具を用いて装着
している。母用リストバンドと新生児用リストバンドとして分離使用する場合
は、夫々のリストバンドの留具が必要になる。
【００１１】
つまり、母用リストバンドと新生児用リストバンドとに分離して使用するときは、妊婦用リストバンドとして使用する際に用いていない新たな留具が必要になるという問題が生じる。
【００１２】
本願発明は、上記問題の解決手段を提供するものである。
すなわち、本願発明は、分離していない状態の大バンド及び小バンドを備え
たバンドフォームにおいて、大バンドと小バンドとが並列配置しないバンドフ
ォームを提供する。
また、本願発明は、大バンドと小バンドの分離使用の際に、別途留具を必要と
しないようにするバンドフォームを提供する。
【課題を解決するための手段】
【００１３】
本願発明の表面積が異なる大小バンドを備えたバンドフォームは、上記各大
バンドと小バンドが、印字部と、上記印字部の一部端に隣接して設けられたス
トラップ部と、上記印字部の一部端と相対する他端に設けられた装着部と、を備え、上記大バンドの装着部と、上記小バンドのストラップ部とが連設され、大バンドと小バンドが一体化した大小バンドユニットを構成し、上記大小バンドユニット装着時、上記大バンドの上記印字部を表出するように上記大小バンドユニットを被装着物に巻回可能にする。
大小バンドを長手方向に連接した構成とし、装着時には巻回することにより、
大小バンドの装着幅長を、バンドフォーム幅長以下にすることができる。
【００１４】
本発明のバンドフォームは、上記小バンドの装着部と大バンドのストラップ部
とが連接された複数の上記大小バンドユニットを備えて構成する。
上記バンドフォームは複数の大小バンドユニットからなる帯状体となり、プ
リンタ等への大小バンドの連続供給を可能にする。
【００１５】
本発明のバンドフォームの上記大小バンドユニットは、並列配置される。
複数の大小バンドユニットが並列配置されてプリンタ等へ供給されるので、
時間あたりの大小バンドユニットの供給効率、印字効率が向上する。
【００１６】
また、本願発明のバンドフォームの上記各大小バンドは、上記各ストラップ部
に設けられた１以上の孔からなるストラップ孔と、上記各装着部に設けられた１以上の孔からなる装着孔と、を備え、上記ストラップ孔と上記装着孔とは、上記大小バンドユニットを巻回装着するとき、上記大バンドのストラップ孔と上記大バンドの装着孔が連通し、且つ、上記大バンドのストラップ孔と小バンドの装着孔、または上記大バンドのストラップ孔と小バンドの装着孔が連通するように配置される。
【００１７】
大小バンドのストラップ孔及び装着孔の配置を、大小バンドユニット装着の
際に２箇所で留具による固定可能な構成とした。従って、大バンドと小バンド
に分離して装着するとき、大小バンドユニット装着に用いた留具を１つずつ用
いて大バンドと小バンドの装着固定を行うことができる。
【００１８】
更に、本願発明は、上記大小バンド及び大小バンド間を分離可能な脆弱線を備える。
脆弱線を利用することにより、大小バンドがバンドフォーム内に形成されてい
る場合は大小バンドをバンドフォームから容易に分離することができ、また、大小バンド間の分離も容易に行うことができる。
【発明の効果】
【００１９】
本願発明のバンドフォームによれば、大バンドと小バンドとが長手方向に連
接して構成される。大小バンドユニットの装着は、小バンドが大バンドの内側
に巻回されることから、大小バンドユニットの装着幅長は、小バンドまたは大
バンドの幅となる。故に、小バンドは、大バンドに重なった状態になり破損す
る虞が無くなる。
【００２０】
また、本願発明によれば、大小バンドユニットの装着に２つの留具を使用可能
としていることから、大バンドと小バンドの分離装着には、大小バンドユニットの装着に使用していた留具を利用して、大バンドと小バンドの装着をすることができる。故に、大小バンドユニット装着から、大バンドと小バンドの分離装着には、別途留具を必要としない。
【図面の簡単な説明】
【００２１】
【図１】本発明のバンドフォームの層構成例を示す説明図である。
【図２】バンドフォームの配置構成を示す説明図である。
【図３】バンドフォームユニットの装着形態を示す説明図である。
【図４】バンドフォームユニットの装着形態を示す説明図である。
【図５】本発明のバンドフォームの他の構成例を示す説明図である。
【発明を実施するための形態】
【００２２】
本発明のバンドフォームは、長手方向に連接された表面積の異なる大バンド及
び小バンド（大小バンドユニット）を少なくとも１ユニットとして備える。複数の大小バンドユニットを備えるバンドフォームは、大バンドと小バンドとが交互に配列された帯状体となる。
【００２３】
大小バンドユニットを大バンドと小バンドに分離せずに装着する場合、小バン
ドを大バンドの内側に重ね、被装着体に巻回し、留具で固定する。従って、大小バンドユニットのバンド幅長は、一方のバンド幅長内に収まる。また、小バンドは大バンドの内側に配置されるので、外部との接触による破損の虞が無い。
【００２４】
大小バンドユニットを分離して装着する場合は、大小バンドユニットから大バ
ンドと小バンドを分離し、夫々被装着体に巻回し、留具で固定する。
【００２５】
ここでは、出産前後に妊婦に用い、出産後に母と新生児に用いるバンドフォー
ムについて説明する。
バンドフォームは、妊婦用リストバンド、母用リストバンド、及び新生児用リ
ストバンドを提供する。
【００２６】
本発明のバンドフォームの構成例を図１及び図２に示す。
バンドフォーム１００は、基材層１０と、表面層（装着時に外側を向く）２０と、裏面層（装着時に内側を向きく）３０との三層構成のシートを備える。
基材層１０は、バンドフォーム１００に強度を与える柔軟性のある材料が用いられる。
表面層２０は、感熱印字、熱転写印字が可能な印字可能材料が用いられる。
裏面層３０は、被装着体との接触面積が小さくなるよう、凹凸加工された材料が用いられる。
基材層の表裏面に表面層と裏面層が夫々接着されて、バンドフォームを形成する。
【００２７】
また、バンドフォーム１００は、母用リストバンド４０と新生児用リストバンド５０とを１ユニットUとして構成される。
母用リストバンド４０は、バンドフォーム１００の幅長と同じ幅長であり大人の手首に巻回装着可能な長さを有する。
新生児用リストバンド５０は、バンドフォーム１００の幅長と同じ幅長であり新生児の手首や足首に巻回装着可能な長さを有する。
【００２８】
母用リストバンド４０は、印字部４１と、印字部４１の一部端に隣接して設けられたストラップ部４２と、印字部４１の一部端と相対する他端に設けられた装着部４３とを備える。
【００２９】
新生児用リストバンド５０は、印字部５１と、印字部５１の一部端に隣接して設けられたストラップ部５２と、印字部５１の一部端と相対する他端に設けられた装着部５３とを備える。
【００３０】
ユニットUは、母用リストバンド４０の装着部４３と、新生児用リストバンド５０のストラップ部５２とが連設された１つの母用リストバンドと１つの新生児用リストバンドとからなる。
【００３１】
バンドフォーム１００は、新生児用リストバンド５０の装着部５３と母用リストバンド４０のストラップ部４２とが連接された複数のユニットUから構成され、帯状体となる。
従って、バンドフォーム１００において、母用リストバンド４０と新生児用リストバンド５０は長手方向に交互に直列配置された構成となる。
【００３２】
また、母用リストバンド４０と新生児用リストバンド５０間には、ミシン目やタンパーカット等による脆弱線Lが形成され、母用リストバンド４０と新生児用リストバンド５０との分離を容易にする。
【００３３】
母用リストバンド４０は、ストラップ部４２に１以上の孔からなるストラップ孔A１と、装着部４３に１以上の孔からなる装着孔B１を備える。
新生児用リストバンド５０は、ストラップ部５２に１以上の孔からなるストラップ孔A２と、装着部５３に１以上の孔からなる装着孔B２を備える。
ストラップ孔A１、A2と装着孔B１、B2は、バンドフォーム１００を貫通する。ストラップ孔A１、A2と装着孔B１、B2の表面形状は、特に限定されず、重ね合わせた際に連通すればよい。ここでは、同一の円形とする。
【００３４】
ストラップ孔A１、A2と装着孔B１、B2とは、以下の条件を満たすように配置される。
ユニットUの巻回装着において、母用リストバンド４０のストラップ孔A１と、母用リストバンドの装着孔B１とが連通状態にあるとき、新生児用リストバンド５０の装着孔B２と母用リストバンド４０の他のストラップ孔A１とが連通状態になるように、または、新生児用リストバンド５０のストラップ孔A２と母用リストバンド４０の他のストラップ孔A１とが連通状態になるように、各リストバンドのストラップ孔A１、A2と装着孔B１、B2とを配置する。
従って、母用リストバンド４０のストラップ部の長さは、新生児用リストバンド５０長さより長く形成される。
【００３５】
本発明のバンドフォーム１００の装着形態としては、出産前の妊婦に装着する場合と、出産後の母と新生児に装着する場合とで異なる。
妊婦に装着する場合は、バンドフォーム１００からユニットUを分離し、新生児用リストバンド５０部分が母用リストバンド４０部分の内側に重なるよう妊婦の手首に巻回装着される。その際、母用リストバンド４０のストラップ孔A１と母用リストバンド４０の装着孔B１、及び、母用リストバンド４０のストラップ孔A１と新生児用リストバンド５０の装着孔B２とを夫々連通させる（図３参照）。
【００３６】
また、母用リストバンド４０のストラップ孔A１と母用リストバンド４０の装着孔B１、及び、母用リストバンド４０のストラップ孔A１と新生児用リストバンド５０のストラップ孔A２とを夫々連通させてもよい（図４参照）。
【００３７】
各連通した箇所は、留具Sを用いて固定する。ユニットUを装着する場合、２つの留具Sを利用する。留具Sは、連通した箇所を貫通する突起を有し、突起を着脱可能に留める凹部を有する。
【００３８】
母と新生児に巻回装着する場合は、妊婦に装着しているユニットUから、新生児用リストバンド５０部分を分離する。分離の際は、母用リストバンド４０のストラップ孔A１と新生児用リストバンド５０の装着孔B２（または、新生児用リストバンド５０のストラップ孔A２）を固定していた留具Sを外し、脆弱線４により母用リストバンド４０から新生児用リストバンド５０を分離する。母用リストバンド４０を外すことなく新生児用リストバンド５０を分離することができる。分離した新生児用リストバンド５０は、新生児の手首や足首に、外した留具を用いて速やかに装着することができる。
【００３９】
図５には、本発明のバンドフォームの他の形態を示す。
バンドフォーム２００は、バンドフォーム１００を並列に配置させて構成される。
ここでは、バンドフォーム１００を２列配置した例を示したが、３列以上の並列配置であってもよい。
バンドフォーム２００の使用方法は、バンドフォーム１００と同様に、ユニットU単位で使用する。
【００４０】
実施例において、バンドフォームの幅長と母用及び新生児用リストバンドの幅
長とは同一としたが、それに限定されない。一方のリストバンドの幅長がバンドフォームの幅長より小さくてもよい。また、双方のリストバンドの幅長がバンドフォームの幅長より小さくてもよい。
バンドフォームの幅長より小さい幅長のリストバンドを形成する場合は、バン
ドフォーム内のリストバンド輪郭に脆弱線が形成される。
【００４１】
リストバンドの形状は矩形状に限定されることなく、長手方向にストラップ部、
印字部、装着部が形成された形状であればよい。
なお、実施例のようにバンドフォームの幅長と双方リストバンドの幅長を同一
にすることは、バンドフォームからリストバンドの分離する際の不要物の発生を無くすることに寄与する。
【００４２】
また、バンドフォームの層構成は、１層以上で構成されていればよい。構成す
る層には、抗菌性機能や近距離通信用のトランスポンダ機能を備えることもできる。
【００４３】
更に、実施例のユニットは、２つのリストバンドを備える構成にしたが、３以
上のリストバンドを備える構成にしてもよい。例えば、バンドフォームに１つの大バンドと２つの同形状の小バンドを備える構成を挙げることができる。この場合の装着形態は、小バンドを折り返して重ねておき、後は、実施例と同様にして装着する。この場合、留具は、備えるリストバンドの数分用いる。
【符号の説明】
【００４４】
１００    バンドフォーム
２００    バンドフォーム
１０      基材層
２０      表面層
３０      裏面層
４０      母用リストバンド
４１      印字部
４２      ストラップ部
４３      装着部
５０      新生児用リストバンド
５１      印字部
５２      ストラップ部
５３      装着部
A１      ストラップ孔
B１      装着孔
A２      ストラップ孔
B２      装着孔
U        ユニット
L        脆弱線
S        留具  
【図１】
2016020984.tif 000003
【図２】
2016020984.tif 000004
【図３】
2016020984.tif 000005
【図４】
2016020984.tif 000006
【図５】
2016020984.tif 000007